(57)【要約】      （修正有）【課題】液体を吐出可能な吐出部の温度管理と、媒体に液体を吐出させる際の時間短縮とを、バランスよく行う液体吐出装置を提供する。【解決手段】媒体を加熱する加熱部７と、加熱部７による加熱領域Ｒ２を一部として含む移動可能領域Ｒ１を移動可能であって、移動可能領域Ｒ１の少なくとも一部を移動しつつ加熱領域Ｒ２内の液体吐出可能領域Ｒ３において媒体Ｐに液体を吐出する液体吐出動作を実行可能な吐出部１２と、吐出部１２の温度を検出する吐出部温度センサーと、液体吐出動作において、吐出部温度センサーの検出結果に基づいて、吐出部１２を移動可能領域Ｒ１のうちの加熱領域Ｒ２外Ｒ１−１及びＲ１−２に移動するよう制御可能な制御部と、を備える。【選択図】図２
2016097646.tif 000002
【特許請求の範囲】
【請求項１】
媒体を加熱する加熱部と、
前記加熱部による加熱領域を一部として含む移動可能領域を移動可能であって、前記移
動可能領域の少なくとも一部を移動しつつ前記加熱領域内の液体吐出可能領域において前
記媒体に液体を吐出する液体吐出動作を実行可能な吐出部と、
前記吐出部の温度を検出する吐出部温度センサーと、
前記液体吐出動作において、前記吐出部温度センサーの検出結果に基づいて、前記吐出
部を前記移動可能領域のうちの前記加熱領域外に移動するよう制御可能な制御部と、
を備えることを特徴とする液体吐出装置。
【請求項２】
請求項１に記載の液体吐出録装置において、
前記加熱部は、前記吐出部によって前記液体が前記媒体に付与される側から前記媒体を
加熱することを特徴とする液体吐出装置。
【請求項３】
請求項１又は２に記載の液体吐出装置において、
前記媒体の温度を検出する媒体温度センサーを備え、
前記制御部は、前記媒体温度センサーの検出結果に基づいて、前記加熱部の加熱強度を
制御可能であることを特徴とする液体吐出装置。
【請求項４】
請求項１から３のいずれか１項に記載の液体吐出装置において、
前記制御部は、前記吐出部温度センサーの検出結果に基づいて、前記吐出部を前記加熱
領域外に移動する頻度及び前記吐出部が前記加熱領域外に在る状態の時間の少なくとも一
方を制御することを特徴とする液体吐出装置。
【請求項５】
請求項１から４のいずれか１項に記載の液体吐出装置において、
前記制御部は、
前記液体の吐出データに基づいて前記液体吐出動作を実行するよう前記吐出部を制御
し、
前記液体吐出可能領域のうちの前記吐出データに基づく液体吐出領域を認識して前記
移動可能領域のうちの前記液体吐出領域において前記吐出部を移動させつつ前記液体を吐
出させる第１の吐出モードと、前記移動可能領域のうちの前記加熱領域外に亘り前記吐出
部を移動させつつ前記液体を吐出させる第２の吐出モードと、を実行可能であり、
前記吐出部温度センサーの検出結果に基づいて、前記第１の吐出モードと前記第２の
吐出モードとを切り替えて実行可能であることを特徴とする液体吐出装置。
【請求項６】
請求項５に記載の液体吐出装置において、
前記制御部は、前記媒体の輻射率に応じて、前記第２の吐出モードにおける前記吐出部
の前記加熱領域に在る状態に対する前記加熱領域外に在る状態の比率を変更可能であるこ
とを特徴とする液体吐出装置。
【請求項７】
請求項１から６のいずれか１項に記載の液体吐出装置において、
前記加熱領域外の位置において前記吐出部を冷却可能な冷却部を備えることを特徴とす
る液体吐出装置。
【請求項８】
請求項７に記載の液体吐出装置において、
前記冷却部は、前記吐出部に送風可能な送風部であることを特徴とする液体吐出装置。
【請求項９】
請求項８に記載の液体吐出装置において、
環境温度を検出する環境温度センサーを備え、
前記送風部は、外気を取り込んで該外気を送風可能であり、
前記制御部は、前記環境温度センサーの検出結果に基づいて、前記送風部の駆動を制御
することを特徴とする液体吐出装置。
【請求項１０】
媒体を加熱する加熱部と、前記加熱部による加熱領域を一部として含む移動可能領域を
移動可能であって、前記移動可能領域の少なくとも一部を移動しつつ前記加熱領域内の液
体吐出可能領域において前記媒体に液体を吐出する液体吐出動作を実行可能な吐出部と、
前記吐出部の温度を検出する吐出部温度センサーと、を備える液体吐出装置における液体
吐出方法であって、
前記液体吐出動作において、前記吐出部温度センサーの検出結果に基づいて前記吐出部
を前記移動可能領域のうちの前記加熱領域外に移動させることを伴いつつ、前記吐出部か
ら前記媒体に前記液体を吐出することを特徴とする液体吐出方法。
【発明の詳細な説明】
【技術分野】
【０００１】
本発明は、液体吐出装置及び液体吐出方法に関する。
【背景技術】
【０００２】
従来から、媒体にインクなどの液体を吐出可能な吐出部を備える液体吐出装置が使用さ
れている。  
例えば、特許文献１には、吐出部に設けられたヒーターを発熱することによりインクを
吐出可能な吐出部を有し、該ヒーターの発熱により昇温した吐出部を冷却するためのファ
ンを備えた液体吐出装置（インクジェット記録装置）が開示されている。
【先行技術文献】
【特許文献】
【０００３】
【特許文献１】特開２００４−２５７２１号公報
【発明の概要】
【発明が解決しようとする課題】
【０００４】
一方、近年、例えば、インクジェット記録装置等においては、媒体に吐出された液体を
乾燥させる時間を短縮し、液体の吐出物の生産性を向上することが要求されているが、特
許文献１の液体吐出装置は、媒体に液体を吐出させる際の時間短縮が可能な構成にはなっ
ていない。  
また、媒体の加熱部などを用いて短い時間で媒体に吐出された液体を乾燥させようとす
ると、吐出部における液体の温度を高くする傾向になり、吐出部において液体が乾燥して
固化や増粘などを招きやすくなり、吐出不良を生じる虞がでてくる。  
このため、液体を吐出可能な吐出部の温度管理と、媒体に液体を吐出させる際の時間短
縮とを、バランスよく行うことが望まれている。
【０００５】
そこで、本発明の目的は、液体を吐出可能な吐出部の温度管理と、媒体に液体を吐出さ
せる際の時間短縮とを、バランスよく行うことである。
【課題を解決するための手段】
【０００６】
上記課題を解決するための本発明の第１の液体吐出装置は、媒体を加熱する加熱部と、
前記加熱部による加熱領域を一部として含む移動可能領域を移動可能であって、前記移動
可能領域の少なくとも一部を移動しつつ前記加熱領域内の液体吐出可能領域において前記
媒体に液体を吐出する液体吐出動作を実行可能な吐出部と、前記吐出部の温度を検出する
吐出部温度センサーと、前記液体吐出動作において、前記吐出部温度センサーの検出結果
に基づいて、前記吐出部を前記移動可能領域のうちの前記加熱領域外に移動するよう制御
可能な制御部と、を備えることを特徴とする。
【０００７】
本発明の第２の態様の液体吐出装置は、前記第１の態様において、前記加熱部は、前記
吐出部によって前記液体が前記媒体に付与される側から前記媒体を加熱することを特徴と
する。
【０００８】
本発明の第３の態様の液体吐出装置は、前記第１又は第２の態様において、前記媒体の
温度を検出する媒体温度センサーを備え、前記制御部は、前記媒体温度センサーの検出結
果に基づいて、前記加熱部の加熱強度を制御可能であることを特徴とする。
【０００９】
本発明の第４の態様の液体吐出装置は、前記第１から第３のいずれか１つの態様におい
て、前記制御部は、前記吐出部温度センサーの検出結果に基づいて、前記吐出部を前記加
熱領域外に移動する頻度及び前記吐出部が前記加熱領域外に在る状態の時間の少なくとも
一方を制御することを特徴とする。
【００１０】
本発明の第５の態様の液体吐出装置は、前記第１から第４のいずれか１つの態様におい
て、前記制御部は、前記液体の吐出データに基づいて前記液体吐出動作を実行するよう前
記吐出部を制御し、前記液体吐出可能領域のうちの前記吐出データに基づく液体吐出領域
を認識して前記移動可能領域のうちの前記液体吐出領域において前記吐出部を移動させつ
つ前記液体を吐出させる第１の吐出モードと、前記移動可能領域のうちの前記加熱領域外
に亘り前記吐出部を移動させつつ前記液体を吐出させる第２の吐出モードと、を実行可能
であり、前記吐出部温度センサーの検出結果に基づいて、前記第１の吐出モードと前記第
２の吐出モードとを切り替えて実行可能であることを特徴とする。
【００１１】
本発明の第６の態様の液体吐出装置は、前記第５の態様において、前記制御部は、前記
媒体の輻射率に応じて、前記第２の吐出モードにおける前記吐出部の前記加熱領域に在る
状態に対する前記加熱領域外に在る状態の比率を変更可能であることを特徴とする。
【００１２】
本発明の第７の態様の液体吐出装置は、前記第１から第６のいずれか１つの態様におい
て、前記加熱領域外の位置において前記吐出部を冷却可能な冷却部を備えることを特徴と
する。
【００１３】
本発明の第８の態様の液体吐出装置は、前記第７の態様において、前記冷却部は、前記
吐出部に送風可能な送風部であることを特徴とする。
【００１４】
本発明の第９の態様の液体吐出装置は、前記第８の態様において、環境温度を検出する
環境温度センサーを備え、前記送風部は、外気を取り込んで該外気を送風可能であり、前
記制御部は、前記環境温度センサーの検出結果に基づいて、前記送風部の駆動を制御する
ことを特徴とする。
【００１５】
本発明の第１０の態様の液体吐出方法は、媒体を加熱する加熱部と、前記加熱部による
加熱領域を一部として含む移動可能領域を移動可能であって、前記移動可能領域の少なく
とも一部を移動しつつ前記加熱領域内の液体吐出可能領域において前記媒体に液体を吐出
する液体吐出動作を実行可能な吐出部と、前記吐出部の温度を検出する吐出部温度センサ
ーと、を備える液体吐出装置における液体吐出方法であって、前記液体吐出動作において
、前記吐出部温度センサーの検出結果に基づいて前記吐出部を前記移動可能領域のうちの
前記加熱領域外に移動させることを伴いつつ、前記吐出部から前記媒体に前記液体を吐出
することを特徴とする。
【発明の効果】
【００１６】
本発明によれば、液体を吐出可能な吐出部の温度管理と、媒体に液体を吐出させる際の
時間短縮とを、バランスよく行うことができる。
【図面の簡単な説明】
【００１７】
【図１】本発明の実施例１に係る記録装置を表す概略側面図。
【図２】本発明の実施例１に係る記録装置を表す概略正面図。
【図３】本発明の実施例１に係る記録装置のブロック図。
【図４】本発明の実施例２に係る記録装置を表す概略正面図。
【図５】本発明の一実施例に係る液体吐出方法のフローチャート。
【発明を実施するための形態】
【００１８】
以下に、本発明の実施例に係る液体吐出装置としての記録装置について、添付図面を参
照して詳細に説明する。
【００１９】
［実施例１］（図１〜図３）  
図１は、本発明の実施例１に係る記録装置１を表す概略側面図であり、筐体部８を外し
た状態を表している。また、図２は、本発明の実施例１に係る記録装置１における筐体部
８の内部を表す概略正面図である。
【００２０】
図１で表されるように、本実施例の記録装置１は、被記録媒体（媒体）Ｐを送出する送
出部１４から、被記録媒体Ｐの支持部であるプラテン２、プラテン３及びプラテン４を介
して、被記録媒体Ｐの巻取部１５まで、被記録媒体Ｐを搬送方向Ａに搬送する。すなわち
、送出部１４から巻取部１５までが記録装置１における被記録媒体Ｐの搬送経路であり、
プラテン２、プラテン３及びプラテン４は該搬送経路に設けられた被記録媒体Ｐの支持部
である。なお、送出部１４は回転方向Ｃに回転して被記録媒体Ｐを送出し、巻取部１５は
回転方向Ｃに回転して被記録媒体Ｐを巻き取る。
【００２１】
なお、本実施例の記録装置１は、ロール状の被記録媒体Ｐに記録を行うことが可能な構
成であるが、このような構成に限定されず、単票状の被記録媒体Ｐに記録を行うことが可
能な構成であってもよい。単票状の被記録媒体Ｐに記録を行うことが可能な構成である場
合、被記録媒体Ｐの送出部１４として、例えば、所謂、給紙（給送）トレイ及び給紙（給
送）カセットなどと呼ばれるものを使用してもよい。また、被記録媒体Ｐの回収部として
、巻取部１５以外の回収部として、例えば、所謂、排出用受部、排紙（排出）トレイ及び
排紙（排出）カセットなどと呼ばれるものを使用してもよい。
【００２２】
本実施例の記録装置１は、プラテン２とプラテン３の間に駆動ローラー５が設けられ、
駆動ローラー５と対向する位置（上部）には従動ローラー６が設けられている。このよう
な構成により、駆動ローラー５と従動ローラー６とで搬送部９を構成している。
【００２３】
なお、本実施例では記録面１６が外側になるように巻かれているロール式の被記録媒体
Ｐを使用しているので、被記録媒体Ｐを送出部１４から送出する際、送出部１４は回転軸
を回転方向Ｃに回転する。一方、記録面１６が内側になるように巻かれているロール式の
被記録媒体Ｐを使用する場合は、送出部１４は回転軸を回転方向Ｃとは逆回転して被記録
媒体Ｐを送出することが可能である。  
そして、同様に、本実施例の巻取部１５は被記録媒体Ｐの記録面１６が外側になるよう
に巻き取るので、巻取部１５は回転軸を回転方向Ｃに回転する。一方、記録面１６が内側
になるように巻き取る場合は、巻取部１５は回転軸を回転方向Ｃとは逆回転して被記録媒
体Ｐを巻き取ることが可能である。
【００２４】
また、本実施例の記録装置１は、プラテン３と対向する側にインク（液体）を吐出可能
な吐出部としての記録ヘッド１２が備えられている。記録装置１は、キャリッジ１１を介
して交差方向Ｂに記録ヘッド１２を往復移動させながら、記録ヘッド１２のインク吐出面
Ｆから被記録媒体Ｐにインクを吐出させて所望の画像を形成する。
【００２５】
また、キャリッジ１１には、記録ヘッド１２の昇温を抑制するため、記録ヘッド１２に
接続された放熱部１３が設けられている。ここで、図２で表されるように、本実施例の記
録装置１は、交差方向Ｂの一方側の端部に、方向Ｄに気流を発生させて記録ヘッド１２を
冷却する冷却部としてのファン１０が設けられている。そして、放熱部１３は、交差方向
Ｂの一方側の端部にキャリッジ１１が移動した際に、ファン１０と対向する位置に設けら
れている。
【００２６】
また、プラテン３と対向する側には、記録ヘッド１２によって被記録媒体Ｐに付与され
たインクを被記録媒体Ｐの記録面１６側から乾燥させるための加熱部としてのヒーター７
が設けられている。なお、本実施例の加熱部は、被記録媒体Ｐを記録面１６側から加熱す
ることが可能な赤外線ヒーターであるが、このような構成に限定されず、例えば、被記録
媒体Ｐの面１７側から被記録媒体Ｐを加熱可能な構成のものを使用してもよい。
【００２７】
次に、本実施例の記録装置１における電気的な構成について説明する。  
図３は、本実施例の記録装置１のブロック図である。  
制御部１８には、記録装置１の全体の制御を司るＣＰＵ１９が設けられている。ＣＰＵ
１９は、システムバス２０を介して、ＣＰＵ１９が実行する各種制御プログラムやメンテ
ナンスシーケンス等を格納したＲＯＭ２１と、データを一時的に格納可能なＲＡＭ２２と
、接続されている。
【００２８】
また、ＣＰＵ１９は、システムバス２０を介して、記録ヘッド１２を駆動するためのヘ
ッド駆動部２３と接続されている。  
また、ＣＰＵ１９は、システムバス２０を介して、キャリッジ１１を移動させるための
キャリッジモーター２５、送出部１４の駆動源である送出モーター２６、駆動ローラー５
の駆動源である搬送モーター２７、巻取部１５の駆動源である巻取モーター２８、を駆動
させるためのモーター駆動部２４と接続されている。  
また、ＣＰＵ１９は、システムバス２０を介して、ヒーター７を駆動するためのヒータ
ー駆動部２３と接続されている。  
さらに、ＣＰＵ１９は、システムバス２０を介して、入出力部３０と接続されており、
入出力部３０は、記録データ等を記録装置１に入力する外部装置であるＰＣ３１、記録ヘ
ッド１２の温度を検出可能な吐出部温度センサー３２、被記録媒体Ｐの温度を検出可能な
媒体温度センサー３３、記録装置１の設置された環境温度を検出可能な環境温度センサー
３４、と接続されている。
【００２９】
次に、本実施例の記録装置１の記録動作などにおける制御部１８の制御について図１及
び図２を参照して説明する。
【００３０】
上記のように、本実施例の記録装置１は、被記録媒体Ｐを加熱するヒーター７を備えて
いる。また、図２で表されるように、ヒーター７の加熱領域Ｒ２は、プラテン３の幅（交
差方向Ｂの長さ）に対応し、記録ヘッド１２の移動可能領域Ｒ１の一部の領域を含んでい
る。そして、図１及び図２で表されるように、記録ヘッド１２の液体吐出可能領域Ｒ３は
、ヒーター７の加熱領域Ｒ２の一部の領域である。  
別の表現をすると、記録ヘッド１２は、ヒーター７によるヒーター７を一部として含む
移動可能領域Ｒ１を移動可能であって、移動可能領域Ｒ１の少なくとも一部を移動しつつ
加熱領域Ｒ２内の液体吐出可能領域Ｒ３において被記録媒体Ｐにインクを吐出する液体吐
出動作を実行可能である。  
そして、本実施例の制御部１８は、前記液体吐出動作において、吐出部温度センサー３
２の検出結果に基づいて、記録ヘッド１２を移動可能領域Ｒ１のうちの加熱領域Ｒ２外の
領域である領域Ｒ１−１及びＲ１−２に移動するよう制御可能である。  
本実施例の記録装置１は、このような構成により、ヒーター７により被記録媒体Ｐに吐
出されたインクを効率よく乾燥させることができる。そして、吐出部温度センサー３２の
検出結果に基づいて記録ヘッド１２を加熱領域Ｒ２外の領域である領域Ｒ１−１及びＲ１
−２に移動する（即ち加熱領域Ｒ２から退避する）ことができるので適切に記録ヘッド１
２を温度管理することができる。すなわち、記録ヘッド１２の温度管理と、被記録媒体Ｐ
にインクを吐出させる記録動作における時間短縮とを、バランスよく行うことができる構
成になっている。
【００３１】
さらに具体的に説明する。本実施例の制御部１８は、前記液体吐出動作として、第１の
吐出モードと第２の吐出モードとを実行可能である。第１の吐出モードとは、記録データ
（液体の吐出データ）に基づいて液体吐出可能領域Ｒ３のうちの記録データに基づく液体
吐出領域Ｒ４（実際にインクを吐出する領域）を認識して移動可能領域Ｒ１のうちの液体
吐出領域Ｒ４において記録ヘッド１２を移動させつつインクを吐出させる吐出モードであ
る。そして、第２の吐出モードとは、移動可能領域Ｒ１のうちの加熱領域Ｒ２外の領域で
ある領域Ｒ１−１及びＲ１−２に亘り記録ヘッド１２を移動させつつインクを吐出させる
吐出モードである。  
そして、制御部１８は、吐出部温度センサー３２の検出結果に基づいて、第１の吐出モ
ードと第２の吐出モードとを切り替えて実行する。  
このような制御により、記録ヘッド１２の温度が低い状態においては第１の吐出モード
を実行して被記録媒体Ｐにインクを吐出させる際の時間短縮を優先し、記録ヘッド１２の
温度が高い状態においては第２の吐出モードを実行して記録ヘッド１２の昇温を抑制する
ことを優先させている。
【００３２】
また、本実施例の制御部１８は、第２の吐出モードにおいて、記録ヘッド１２を加熱領
域Ｒ２外の領域である領域Ｒ１−１及びＲ１−２に移動する頻度を変更する制御、記録ヘ
ッド１２が領域Ｒ１−１及びＲ１−２に在る状態の時間を変更する制御の何れも実行可能
である。  
しかしながら、吐出部温度センサー３２の検出結果に基づいて、記録ヘッド１２を領域
Ｒ１−１及びＲ１−２に移動する頻度及び記録ヘッド１２が領域Ｒ１−１及びＲ１−２に
在る状態の時間の少なくとも一方を制御可能であればよく、このような制御が可能である
ことにより、簡単に、記録ヘッド１２の温度管理と、記録動作における時間短縮とを、バ
ランスよく行うことができる。
【００３３】
また、上記のように、本実施例の記録装置１は、被記録媒体Ｐの温度を検出する媒体温
度センサー３３を備えており、制御部１８は、媒体温度センサー３３の検出結果に基づい
て、ヒーター７の加熱強度を制御可能である。このため、適切に被記録媒体Ｐの温度管理
をすることができ、記録動作における時間短縮を特に効率的に行うことができる構成にな
っている。
【００３４】
また、本実施例の記録装置１は、ＰＣ３１を介して使用する被記録媒体Ｐの輻射率を入
力可能である。そして、制御部１８は、被記録媒体Ｐの輻射率に応じて、第２の吐出モー
ドにおける記録ヘッド１２の加熱領域Ｒ２に在る状態に対する加熱領域Ｒ２外の領域であ
る領域Ｒ１−１及びＲ１−２に在る状態の比率を変更可能である。このため、例えば、輻
射率が高く熱しやすく冷めやすい被記録媒体Ｐを用いた場合に、記録ヘッド１２が領域Ｒ
１−１及びＲ１−２に在る状態の比率を増やしてインクの付与速度（記録速度）を低下さ
せる（被記録媒体Ｐが加熱領域Ｒ２に在る状態を長くする）ことで、ヒーター７による加
熱エネルギーを小さくすることができる。  
なお、「記録ヘッド１２の加熱領域Ｒ２に在る状態に対する加熱領域Ｒ２外の領域であ
る領域Ｒ１−１及びＲ１−２に在る状態の比率を変更」とは、記録ヘッド１２を領域Ｒ１
−１及びＲ１−２に移動する頻度及び記録ヘッド１２が領域Ｒ１−１及びＲ１−２に在る
状態の時間の少なくとも一方を変更することにより実行可能である。  
また、被記録媒体Ｐの輻射率の入力は、ユーザーが直接輻射率の値を入力すること、ユ
ーザーが使用する被記録媒体Ｐを選択することで対応する輻射率を記録装置１が自動で設
定すること、の何れによっても実行可能である。
【００３５】
なお、上記のように、本実施例の記録装置１は、記録ヘッド１２によってインクが被記
録媒体Ｐに付与される側から被記録媒体Ｐを加熱する構成である。このような構成の記録
装置１は、図１で表されるように記録ヘッド１２がヒーター７の加熱領域Ｒ２に侵入しや
すく加熱されやすい。しかしながら、制御部１８の上記のような制御により、記録ヘッド
１２がヒーター７により加熱されやすいこのような構成の記録装置１であっても、本実施
例の記録装置１は、記録ヘッド１２の温度管理と、記録動作における時間短縮とを、バラ
ンスよく行うことができる構成になっている。
【００３６】
また、図２で表されるように、本実施例の記録装置１は、加熱領域Ｒ２外の位置である
領域Ｒ１−１において記録ヘッド１２を冷却可能なファン１０を備えている。このため、
加熱領域Ｒ２の温度を低下させることなく記録ヘッド１２を効率よく冷却することが可能
である。  
なお、図１で表されるように、キャリッジ１１には放熱部１３が設けられているが、フ
ァン１０による気流は放熱部１３に当たりインク吐出面Ｆには当たらないように配置され
ている。
【００３７】
ここで、ファン１０は、記録ヘッド１２に送風可能な送風部であるので、記録装置１へ
構成することが簡単である。
【００３８】
また、本実施例の記録装置１は、環境温度を検出する環境温度センサー３４を備えてい
る。また、ファン１０は、記録装置１の外部から外気を取り込んで該外気を送風可能な構
成である。そして、制御部１８は、環境温度センサー３４の検出結果に基づいて、ファン
１０の駆動を制御している。具体的には、吐出部温度センサー３２の検出結果と環境温度
センサー３４の検出結果とから記録ヘッド１２の温度と環境温度とを比較し、記録ヘッド
１２の温度が環境温度よりも高い場合においてのみファン１０を駆動する制御を行ってい
る。このため、記録装置１が設置された環境温度に応じて記録ヘッド１２を効率よく冷却
することが可能な構成になっている。
【００３９】
［実施例２］（図４）  
次に、実施例２の記録装置について、添付図面を参照して詳細に説明する。  
図４は、本実施例の記録装置１の概略正面図であり、実施例１の記録装置１を表す図２
に対応する図である。なお、上記実施例と共通する構成部材は同じ符号で示しており、詳
細な説明は省略する。  
なお、本実施例の記録装置１は、ファン１０の取り付け位置とこれに伴う放熱部１３の
配置以外は、実施例１の記録装置１と同様の構成である。
【００４０】
本実施例の記録装置１は、加熱領域Ｒ２外の領域である領域Ｒ１−１及びＲ１−２の両
方に方向Ｅに気流を発生させるファン１０が設けられている。このため、ファン１０が１
つである実施例１の記録装置１よりも効率的に記録ヘッド１２を冷却可能である。また、
ファン１０が筐体部８に設けられていることで、効率的に外気を取り込むことが可能な構
成になっている。
【００４１】
［液体吐出方法の実施例］（図５）  
次に、一実施例に係る液体吐出方法について図５を用いて説明する。  
なお、本実施例の画像形成方法は、実施例１の記録装置１を用いて実行された画像形成
方法の一実施例である。ただし、実施例２の記録装置１を用いても、同様に本実施例の画
像形成方法を実行可能である。
【００４２】
ＰＣ３１から記録装置１に記録データ（液体の吐出データ）が入力されて本実施例の液
体吐出方法が開始されると、最初に、ステップＳ１１０で、制御部１８は、吐出部温度セ
ンサー３２の検出結果から記録ヘッド１２の温度（吐出部温度）を確認し、該吐出部温度
が閾値以上か、閾値未満かを判断する。  
そして、吐出部温度が閾値未満であると判断した場合はステップＳ１２０に進み、吐出
部温度が閾値以上であると判断した場合はステップＳ１３０に進む。
【００４３】
ステップＳ１２０では、制御部１８は第１の吐出モードを選択し、制御部１８の制御に
より第１の吐出モードで記録データに基づく記録（液体吐出）が行われ、ステップＳ１８
０に進む。
【００４４】
ステップＳ１３０では、制御部１８は、環境温度センサー３４の検出結果から環境温度
を確認し、該環境温度がステップＳ１１０で確認した吐出部温度以上か、該吐出部温度未
満かを判断する。  
そして、環境温度が吐出部温度以上であると判断した場合はステップＳ１４０を経由す
ることなくステップＳ１５０に進み、吐出部温度が閾値未満であると判断した場合はステ
ップＳ１４０を経由してステップＳ１５０に進む。
【００４５】
ステップＳ１４０では、制御部１８はファン１０を駆動する。ここで、環境温度が吐出
部温度以上であると判断した場合にファン１０を駆動しないのは、吐出部温度以上の気流
を用いて記録ヘッド１２を冷却することは困難であるためである。
【００４６】
ステップＳ１５０では、制御部１８は第２の吐出モードを選択し、ステップＳ１６０に
進む。
【００４７】
ステップＳ１６０では、ＰＣ３１を介してユーザーにより入力された被記録媒体Ｐの輻
射率が、閾値以上であるか閾値未満であるかを判断する。  
そして、被記録媒体Ｐの輻射率が閾値未満であると判断した場合は、制御部１８の制御
により、そのまま、第２の吐出モードで記録データに基づく記録（液体吐出）が行われ、
ステップＳ１８０に進む。  
一方、被記録媒体Ｐの輻射率が閾値以上であると判断した場合はステップＳ１７０に進
み、第２の吐出モードにおける加熱領域Ｒ２外の領域である領域Ｒ１−１及びＲ１−２に
記録ヘッド１２がある比率を増加させる。そして、制御部１８の制御により、領域Ｒ１−
１及びＲ１−２に記録ヘッド１２がある比率が増加された第２の吐出モードで記録データ
に基づく記録（液体吐出）が行われ、ステップＳ１８０に進む。
【００４８】
そして、ステップＳ１８０で、記録データに基づく記録が終了したか否かを判断し、記
録データに基づく記録が終了したと判断した場合は本実施例の液体吐出方法を終了し、記
録データに基づく記録が終了していないと判断した場合はステップＳ１１０に戻る。
【００４９】
本実施例の液体吐出方法によれば、ヒーター７により被記録媒体Ｐに吐出されたインク
を効率よく乾燥させることができる。そして、吐出部温度センサー３２の検出結果に基づ
いて記録ヘッド１２を加熱領域Ｒ２外の領域である領域Ｒ１−１及びＲ１−２に移動する
ことができるので適切に記録ヘッド１２を温度管理することができる。すなわち、記録ヘ
ッド１２の温度管理と、記録動作（液体吐出動作）における時間短縮とを、バランスよく
行いながら記録ヘッド１２からインクを吐出することができる。
【００５０】
なお、本発明は上記実施例に限定されることなく、特許請求の範囲に記載した発明の範
囲内で種々の変形が可能であり、それらも本発明の範囲内に含まれることは言うまでもな
い。  
以上、本発明について具体的な実施例に基づいて詳述した。ここで、本発明について、
もう一度まとめて説明する。
【００５１】
本発明の第１の態様の液体吐出装置１は、媒体Ｐを加熱する加熱部７と、加熱部７によ
る加熱領域Ｒ２を一部として含む移動可能領域Ｒ１を移動可能であって、移動可能領域Ｒ
１の少なくとも一部を移動しつつ加熱領域Ｒ２内の液体吐出可能領域Ｒ３において媒体Ｐ
に液体を吐出する液体吐出動作を実行可能な吐出部１２と、吐出部１２の温度を検出する
吐出部温度センサー３２と、前記液体吐出動作において、吐出部温度センサー３２の検出
結果に基づいて、吐出部１２を移動可能領域Ｒ１のうちの加熱領域Ｒ２外Ｒ１−１及びＲ
１−２に移動するよう制御可能な制御部１８と、を備えることを特徴とする。
【００５２】
本態様によれば、加熱部７により媒体Ｐに吐出された液体を効率よく乾燥させることが
でき、吐出部温度センサー３２の検出結果に基づいて吐出部１２を加熱領域Ｒ２外Ｒ１−
１及びＲ１−２に移動することができるので適切に吐出部１２を温度管理することができ
る。すなわち、液体を吐出可能な吐出部１２の温度管理と、媒体Ｐに液体を吐出させる際
の時間短縮とを、バランスよく行うことができる。
【００５３】
本発明の第２の態様の液体吐出装置１は、前記第１の態様において、加熱部７は、吐出
部１２によって前記液体が媒体Ｐに付与される側から媒体Ｐを加熱することを特徴とする
。
【００５４】
本態様によれば、吐出部１２によって液体が媒体Ｐに付与される側から媒体Ｐを加熱す
る構成である。このような構成の液体吐出装置１は、吐出部１２が加熱部７により加熱さ
れやすいが、吐出部１２が加熱部７により加熱されやすいこのような構成の液体吐出装置
２であっても、液体を吐出可能な吐出部１２の温度管理と、媒体Ｐに液体を吐出させる際
の時間短縮とを、バランスよく行うことができる。
【００５５】
本発明の第３の態様の液体吐出装置１は、前記第１又は第２の態様において、媒体Ｐの
温度を検出する媒体温度センサー３３を備え、制御部１８は、媒体温度センサー３３の検
出結果に基づいて、加熱部７の加熱強度を制御可能であることを特徴とする。
【００５６】
本態様によれば、媒体温度センサー３３の検出結果に基づいて加熱部７の加熱強度を制
御可能である。このため、適切に媒体Ｐの温度管理をすることができ、媒体Ｐに液体を吐
出させる際の時間短縮を特に効率的に行うことができる。
【００５７】
本発明の第４の態様の液体吐出装置１は、前記第１から第３のいずれか１つの態様にお
いて、制御部１８は、吐出部温度センサー３２の検出結果に基づいて、吐出部１２を加熱
領域Ｒ２外Ｒ１−１及びＲ１−２に移動する頻度及び吐出部１２が加熱領域Ｒ２外Ｒ１−
１及びＲ１−２に在る状態の時間の少なくとも一方を制御することを特徴とする。
【００５８】
本態様によれば、吐出部温度センサー３２の検出結果に基づいて、吐出部１２を加熱領
域Ｒ２外Ｒ１−１及びＲ１−２に移動する頻度及び吐出部１２が加熱領域Ｒ２外Ｒ１−１
及びＲ１−２に在る状態の時間の少なくとも一方を制御する。このため、簡単に、液体を
吐出可能な吐出部１２の温度管理と、媒体Ｐに液体を吐出させる際の時間短縮とを、バラ
ンスよく行うことができる。
【００５９】
本発明の第５の態様の液体吐出装置１は、前記第１から第４のいずれか１つの態様にお
いて、制御部１８は、前記液体の吐出データに基づいて前記液体吐出動作を実行するよう
吐出部１２を制御し、液体吐出可能領域Ｒ３のうちの前記吐出データに基づく液体吐出領
域Ｒ４を認識して移動可能領域Ｒ１のうちの液体吐出領域Ｒ４において吐出部１２を移動
させつつ前記液体を吐出させる第１の吐出モードと、移動可能領域Ｒ１のうちの加熱領域
Ｒ２外Ｒ１−１及びＲ１−２に亘り吐出部１２を移動させつつ前記液体を吐出させる第２
の吐出モードと、を実行可能であり、吐出部温度センサー３２の検出結果に基づいて、前
記第１の吐出モードと前記第２の吐出モードとを切り替えて実行可能であることを特徴と
する。
【００６０】
本態様によれば、吐出部温度センサー３２の検出結果に基づいて、第１の吐出モードと
第２の吐出モードとを切り替えて実行可能である。すなわち、吐出部１２の温度が低い状
態においては第１の吐出モードを実行して媒体Ｐに液体を吐出させる際の時間短縮を優先
し、吐出部１２の温度が高い状態においては第２の吐出モードを実行して吐出部１２の昇
温を抑制することを優先することができる。
【００６１】
本発明の第６の態様の液体吐出装置１は、前記第５の態様において、制御部１８は、媒
体Ｐの輻射率に応じて、前記第２の吐出モードにおける吐出部１２の加熱領域Ｒ２に在る
状態に対する加熱領域Ｒ２外Ｒ１−１及びＲ１−２に在る状態の比率を変更可能であるこ
とを特徴とする。
【００６２】
本態様によれば、媒体Ｐの輻射率に応じて、第２の吐出モードにおける吐出部１２の加
熱領域Ｒ２に在る状態に対する加熱領域Ｒ２外Ｒ１−１及びＲ１−２に在る状態の比率を
変更可能である。このため、例えば、輻射率が高く熱しやすく冷めやすい媒体Ｐを用いた
場合に、吐出部１２が加熱領域Ｒ２外Ｒ１−１及びＲ１−２に在る状態の比率を増やして
液体の付与速度を低下させる（媒体Ｐが加熱領域Ｒ２に在る状態を長くする）ことで、加
熱部７による加熱エネルギーを小さくすることができる。  
なお、「吐出部１２の加熱領域Ｒ２に在る状態に対する加熱領域Ｒ２外Ｒ１−１及びＲ
１−２に在る状態の比率を変更」とは、吐出部１２を加熱領域Ｒ２外Ｒ１−１及びＲ１−
２に移動する頻度及び吐出部１２が加熱領域Ｒ２外Ｒ１−１及びＲ１−２に在る状態の時
間の少なくとも一方を変更することにより実行可能である。
【００６３】
本発明の第７の態様の液体吐出装置１は、前記第１から第６のいずれか１つの態様にお
いて、加熱領域Ｒ２外Ｒ１−１及びＲ１−２の位置において吐出部１２を冷却可能な冷却
部１０を備えることを特徴とする。
【００６４】
本態様によれば、加熱領域Ｒ２外Ｒ１−１及びＲ１−２の位置において吐出部１２を冷
却可能な冷却部１０を備える。このため、加熱領域Ｒ２の温度を低下させることなく吐出
部１０を効率よく冷却することが可能である。
【００６５】
本発明の第８の態様の液体吐出装置１は、前記第７の態様において、冷却部１０は、吐
出部１２に送風可能な送風部１０であることを特徴とする。
【００６６】
本態様によれば、冷却部１０は吐出部１２に送風可能な送風部１０である。このため、
簡単に冷却部１０を構成することができる。
【００６７】
本発明の第９の態様の液体吐出装置１は、前記第８の態様において、環境温度を検出す
る環境温度センサー３４を備え、送風部１０は、外気を取り込んで該外気を送風可能であ
り、制御部１８は、環境温度センサー３４の検出結果に基づいて、送風部１０の駆動を制
御することを特徴とする。
【００６８】
本態様によれば、環境温度センサー３４の検出結果に基づいて外気を送風可能な送風部
１０の駆動を制御する。このため、液体吐出装置１が設置された環境温度に応じて吐出部
１２を効率よく冷却することが可能である。
【００６９】
本発明の第１０の態様の液体吐出方法は、媒体Ｐを加熱する加熱部７と、加熱部７によ
る加熱領域Ｒ２を一部として含む移動可能領域Ｒ１を移動可能であって、移動可能領域Ｒ
１の少なくとも一部を移動しつつ加熱領域Ｒ２内の液体吐出可能領域Ｒ３において媒体Ｐ
に液体を吐出する液体吐出動作を実行可能な吐出部１２と、吐出部１２の温度を検出する
吐出部温度センサー３２と、を備える液体吐出装置１における液体吐出方法であって、前
記液体吐出動作において、吐出部温度センサー３２の検出結果に基づいて吐出部１２を移
動可能領域Ｒ１のうちの加熱領域Ｒ２外Ｒ１−１及びＲ１−２に移動させることを伴いつ
つ、吐出部１２から媒体Ｐに前記液体を吐出することを特徴とする。
【００７０】
本態様によれば、加熱部７により媒体Ｐに吐出された液体を効率よく乾燥させることが
でき、吐出部温度センサー３２の検出結果に基づいて吐出部１２を加熱領域Ｒ２外Ｒ１−
１及びＲ１−２に移動することができるので適切に吐出部１２を温度管理することができ
る。すなわち、液体を吐出可能な吐出部１２の温度管理と、媒体Ｐに液体を吐出させる際
の時間短縮とを、バランスよく行いながら吐出部１２から液体を吐出することができる。
【符号の説明】
【００７１】
１  記録装置（液体吐出装置）、２  プラテン、３  プラテン、４  プラテン、
５  駆動ローラー、６  従動ローラー、７  ヒーター（加熱部）、８  筐体部、
９  搬送部、１０  ファン（冷却部、送風部）、１１  キャリッジ、
１２  記録ヘッド（吐出部）、１３  放熱部、１４  送出部、１５  巻取部、
１６  被記録媒体Ｐの記録面、１７  被記録媒体Ｐの記録面とは反対側の面、
１８  制御部、１９  ＣＰＵ、２０  システムバス、２１  ＲＯＭ、２２  ＲＡＭ、
２３  ヘッド駆動部、２４  モーター駆動部、２５  キャリッジモーター、
２６  送出モーター、２７  搬送モーター、２８  巻取モーター、
２９  ファンモーター、３０  入出力部、３１  ＰＣ、３２  吐出部温度センサー、
３３  媒体温度センサー、３４  環境温度センサー、Ｐ  被記録媒体（媒体）、
Ｒ１  移動可能領域、
Ｒ１−１  移動可能領域Ｒ１のうちの加熱領域Ｒ２外の領域である領域、
Ｒ１−２  移動可能領域Ｒ１のうちの加熱領域Ｒ２外の領域である領域、
Ｒ２  加熱領域、Ｒ３  液体吐出可能領域、
Ｒ４  液体吐出可能領域Ｒ３のうちの液体吐出領域
【図１】
2016097646.tif 000003
【図２】
2016097646.tif 000004
【図３】
2016097646.tif 000005
【図４】
2016097646.tif 000006
【図５】
2016097646.tif 000007